(57)【要約】【課題】通信接続のためのリストのファイルサイズを大きくすることなく通信接続することができること。【解決手段】ランドマーク検索部又は操作部は、ランドマークを示すランドマーク情報の一部又は全部を取得する。接続設定情報検索部は、前記ランドマーク情報の一部又は全部と情報通信機器に通信接続するための接続設定情報とが対応付けられた第１情報を接続設定情報リスト格納部から読み出し、前記取得部が取得したランドマーク情報の一部又は全部に対応付けられた接続設定情報を抽出する。【選択図】図２
2016082246.tif 000002
【特許請求の範囲】
【請求項１】
ランドマークを示すランドマーク情報を取得する取得部と、
前記ランドマーク情報の一部又は全部と情報通信機器に通信接続するための接続設定情報とが対応付けられた第１情報を記憶部から読み出し、前記取得部が取得したランドマーク情報に対応付けられた接続設定情報を抽出する制御部と、
を備えることを特徴とする情報処理装置。
【請求項２】
前記制御部は、位置情報と前記ランドマーク情報が対応付けられた第２情報を記憶部から読み出し、対象装置の位置から予め定めた範囲内の位置を示す位置情報に対応付けられたランドマーク情報を取得することを特徴とする請求項１に記載の情報処理装置。
【請求項３】
前記第１情報は、前記ランドマーク情報の一部又は全部と、情報通信機器に通信接続するための接続設定情報と、前記ランドマーク情報の一部又は全部毎に予め定められた距離を示す距離情報と、が対応付けられ、
前記制御部は、対象装置との距離より短い距離を示す距離情報に対応する接続設定情報を抽出することを特徴とする請求項１又は請求項２に記載の情報処理装置。
【請求項４】
前記第１情報は、前記ランドマーク情報の一部又は全部と、情報通信機器に通信接続するための接続設定情報と、前記ランドマーク情報の一部又は全部毎に予め定められた地域を示す地域情報と、が対応付けられ、
前記制御部は、対象装置が位置する地域を示す前記地域情報に対応する接続設定情報を抽出することを特徴とする請求項１又は請求項２に記載の情報処理装置。
【請求項５】
前記第１情報は、前記ランドマーク情報の一部又は全部と、情報通信機器に通信接続するための接続設定情報と、前記ランドマーク情報の一部又は全部毎に前記ランドマークの種別を示す種別情報と、が対応付けられ、
前記制御部は、種別情報を取得し、取得した種別情報に対応する接続設定情報を抽出することを特徴とする請求項１又は請求項２に記載の情報処理装置。
【発明の詳細な説明】
【技術分野】
【０００１】
本発明は、情報処理装置に関する。
【背景技術】
【０００２】
近年、携帯情報通信機器が普及している。特許文献１では、情報発信局のリスト記憶部に基地局の位置情報を含むネット番号リストが記憶されている。携帯情報通信機器は、ネット番号リストを情報発信局から受け取ることで、所在エリアの位置情報に関連した電話番号を容易に知ることができる。
【先行技術文献】
【特許文献】
【０００３】
【特許文献１】特開２００１−１１１６７１号公報
【発明の概要】
【発明が解決しようとする課題】
【０００４】
ところで、特許文献１に記載の技術では、ネット番号リストには、「位置情報とその他の接続設定情報」がセットになって記憶されている。したがって、特許文献１に記載の技術では、記憶するアクセスポイントの数に相当するリストデータが必要となるため、位置情報が細分化されて多くなるほどリストのファイルサイズが大きくなる、という問題がある。ファイルサイズが大きくなると、例えば、リストデータの受信、書込、検索等の処理に時間がかかる、また、記憶部の記憶容量が大きくなりコストが高くなる、等の問題が生じる。
【０００５】
本発明は上記の点に鑑みてなされたものであり、通信接続のためのリストのファイルサイズを大きくすることなく通信接続することができる情報処理装置を提供する。
【課題を解決するための手段】
【０００６】
（１）本発明は上述した課題を解決するためになされたもので、本発明の一態様は、ランドマークを示すランドマーク情報を取得する取得部と、前記ランドマーク情報の一部又は全部と情報通信機器に通信接続するための接続設定情報とが対応付けられた第１情報を記憶部から読み出し、前記取得部が取得したランドマーク情報に対応付けられた接続設定情報を抽出する制御部と、を備えることを特徴とする情報処理装置である。
【０００７】
（２）また、本発明の他の態様は、（１）に記載の情報処理装置であって、前記制御部は、位置情報と前記ランドマーク情報とが対応付けられた第２情報を記憶部から読み出し、対象装置の位置から予め定めた範囲内の位置を示す位置情報に対応付けられたランドマーク情報を取得することを特徴とする。
【０００８】
（３）また、本発明の他の態様は、（１）又は（２）に記載の情報処理装置であって、前記第１情報は、前記ランドマーク情報の一部又は全部と、情報通信機器に通信接続するための接続設定情報と、前記ランドマーク情報の一部又は全部毎に予め定められた距離を示す距離情報と、が対応付けられ、前記制御部は、対象装置との距離より短い距離を示す距離情報に対応する接続設定情報を抽出することを特徴とする。
【０００９】
（４）また、本発明の他の態様は、（１）又は（２）に記載の情報処理装置であって、前記第１情報は、前記ランドマーク情報の一部又は全部と、情報通信機器に通信接続するための接続設定情報と、前記ランドマーク情報の一部又は全部毎に予め定められた地域を示す地域情報と、が対応付けられ、前記制御部は、対象装置が位置する地域を示す前記地域情報に対応する接続設定情報を抽出することを特徴とする。
【００１０】
（５）また、本発明の他の態様は、（１）又は（２）に記載の情報処理装置であって、前記第１情報は、前記ランドマーク情報の一部又は全部と、情報通信機器に通信接続するための接続設定情報と、前記ランドマーク情報の一部又は全部毎に前記ランドマークの種別を示す種別情報と、が対応付けられ、前記制御部は、種別情報を取得し、取得した種別情報に対応する接続設定情報を抽出することを特徴とする。
【発明の効果】
【００１１】
本発明によれば、通信接続のためのリストのファイルサイズを大きくすることなく通信接続をすることができる。
【図面の簡単な説明】
【００１２】
【図１】本発明の第１の実施形態に係る通信システムの一例を示す概念図である。
【図２】本実施形態に係る情報処理装置の構成の一例を示す概略ブロック図である。
【図３】本実施形態に係る接続設定情報リストの一例を示す図である。
【図４】本実施形態に係る情報処理装置の動作の一例を示すフローチャートである。
【図５】本発明の第２の実施形態に係る接続設定情報のリストの一例を示す図である。
【図６】本発明の第３の実施形態に係る接続設定情報のリストの一例を示す図である。
【図７】本発明の第４の実施形態に係る接続設定情報のリストの一例を示す図である。
【発明を実施するための形態】
【００１３】
［第１の実施形態］
以下、図面を参照して、本発明の実施形態について説明する。
図１は、本発明の第１の実施形態に係る通信システムの一例を示す概念図である。当該通信システムは、情報処理装置１（対象装置かつ情報処理装置）と、ランドマーク２１ａ, ２１ｂ, ２１ｃ, ２２ａ, ２２ｂ, ２３（各々を総称してランドマークＡと称する）と、各ランドマーク内又は当該ランドマーク付近に設置された情報通信機器２１１ａ, ２１１ｂ, ２１１ｃ, ２２１ａ, ２２２ａ, ２２１ｂ, ２２２ｂ, ２３１, ２３２, ２３３（各々を総称して情報通信機器Ｂと称する）と、測位衛星３と、情報発信局４と、を含む。
なお、ランドマークとは、地上の目印、又はその土地の目印や象徴になるような建造物のことをいう。
【００１４】
情報処理装置１は、例えば、スマートフォン、タブレット端末、フィーチャーフォン、モバイルルーターなどの持ち運び可能な端末装置である。
情報処理装置１は、情報処理装置１の位置情報（接続元位置情報とも称する）を取得する。例えば、情報処理装置１は、GPS（Global Positioning System; 全地球測位網）受信機能を備え、少なくとも３つの測位衛星３から受信した信号に基づいて接続元位置情報を取得する。
【００１５】
情報処理装置１は、取得した接続元位置情報に基づいて、情報処理装置１と同位置又は近接するランドマークＡを抽出する。情報処理装置１は、抽出したランドマークＡの中から、予め定められたルールに従ってランドマークＡを１つ選択する。ここで、予め定められたルールとは、例えば、情報処理装置１から最も近い距離に位置するランドマークＡを選択するルール等、ランドマークＡを自動的に選択するルールである。なお、予め定められたルールは、これに限らず、例えば、情報処理装置１の入力デバイスを介してユーザーによって手入力で指定されたランドマークＡを選択するルールであってもよい。また、情報処理装置１は、情報処理装置１から予め定められた範囲内に位置するランドマークＡを抽出し、ランドマークＡが複数ある場合には、複数のランドマークＡを表示してもよい。この場合、予め定められたルールは、表示された複数のランドマークＡのうち、ユーザーから指定された１つのランドマークＡを選択するルールであってもよい。
【００１６】
また、情報処理装置１は、選択したランドマークＡ内またはランドマークＡ付近に設置された情報通信機器Ｂに通信接続する。
具体的には、情報処理装置１は、ランドマークＡを示すランドマーク情報の一部又は全部と、このランドマークＡ内またはランドマークＡ付近に設置された情報通信機器Ｂに接続するための接続設定情報が予め対応付けられた接続設定情報を記憶する。ここで、ランドマークＡ付近とは、例えば、ランドマークＡから予め定められた距離内であることをいう。また、接続設定情報とは、情報通信機器Ｂに通信接続する際に必要となる情報であり、例えば、SSID（Service Set Identifier）やパスワードである。なお、接続設定情報は、複数の情報通信機器Ｂで共通で用いられる情報であってもよいし、１つの情報通信機器Ｂで用いられる情報であってもよい。
情報処理装置１は、選択したランドマークＡを示すランドマーク情報の一部又は全部に対応する接続設定情報を参照し、参照した接続設定情報に基づいて、情報通信機器Ｂに通信接続する。なお、情報処理装置１は、接続設定情報リストを、情報処理装置１内に予め保持する。ただし、本発明はこれに限らず、情報処理装置１は、通信接続をする際に情報発信局４等からダウンロードして取得してもよい。
【００１７】
ランドマークＡには、情報処理装置１と通信接続可能な情報通信機器が１つ以上設置されている。例えば、公衆無線LAN（Local Area Network）スポットになっている、飲食店やホテルなどの各店舗、商業ビル、駅、等である。
【００１８】
情報通信機器Ｂは、情報処理装置１を公衆通信網に接続する機器である。例えば、公衆無線LANスポットに設置された無線LANルーターである。
【００１９】
測位衛星３は、衛星測位システムが有する人工衛星である。例えば、衛星測位システムとは、例えば、GPS（Global Positioning System；全地球測位網）である。
【００２０】
情報発信局４は、例えば、携帯電話の通信方式（ＬＴＥ等）を用いて、情報処理装置１と無線通信可能な通信基地局である。つまり、情報発信局４は、情報通信機器Ｂの通信方式と異なる通信方式で通信を行うが、本発明はこれに限らず、情報通信機器Ｂの通信方式で通信を行ってもよい。
情報発信局４は、情報処理装置１が情報通信機器Ｂに通信接続する際に必要となる接続設定情報リストを、情報処理装置１に送信する。
【００２１】
図２は、本実施形態に係る情報処理装置の構成の一例を示す概略ブロック図である。情報処理装置１は、入出力部Ｉ、制御部Ｃ、及び、記憶部Ｍを含んで構成される。入出力部Ｉは、現在地情報取得部１１１と、表示部１１７と、操作部１１８と、無線通信部１１６と、を含んで構成される。制御部Ｃは、ランドマーク検索部１１３と、接続設定情報検索部１１５とを含んで構成される。記憶部Ｍは、地図情報格納部１１２と、接続設定情報リスト格納部１１４と、を含んで構成される。
【００２２】
現在地情報取得部１１１は、少なくとも３つの測位衛星３各々から信号を受信する。これらの信号各々には、測位衛星３に搭載された原子時計からの時刻のデータ、測位衛星３の天体暦（軌道）の情報などが含まれている。現在地情報取得部１１１は、情報処理装置１内の計時する時刻情報に基づいて、各信号の受信時刻情報を取得する。現在地情報取得部１１１は、少なくとも３つの測位衛星３から受信した信号各々について、取得した受信時刻と受信した信号に含まれる情報を取得し、取得した情報に基づいて、情報処理装置１の接続元位置情報を算出する。これにより、現在地情報取得部１１１は、接続元位置情報を取得する。なお、現在地情報取得部１１１は、他の方式を用いて、接続元位置情報を取得してもよく、例えば、現在地情報取得部１１１は、情報処理装置１の位置を特定する機能を有する通信基地局等から、無線通信部１１６を介して、接続元位置情報を取得してもよい。
現在地情報取得部１１１は、取得した接続元位置情報を、ランドマーク検索部１１３に出力する。
【００２３】
地図情報格納部１１２は、位置情報と地図情報を対応付けて記憶している。また、地図情報格納部１１２は、ランドマーク情報と、このランドマーク情報が示すランドマークの位置情報（ランドマーク位置情報とも称する）と、を対応付けた情報を記憶している。ここで、ランドマーク位置情報は、経度と緯度である。具体的には、地図情報格納部１１２は、＜「Sカフェ」,「丸の内店」, 「E139°45’51”」,「N35°40’52”」＞のように、ランドマーク情報とランドマーク位置情報とを対応付けて記憶している。この情報は、店名「Sカフェ」の支店名「丸の内店」がランドマーク情報であり、経度「東経139度45分51秒」と緯度「北緯35度40分52秒」がランドマーク位置情報であることを表す。
【００２４】
ランドマーク検索部１１３は、現在地情報取得部１１１から入力された接続元位置情報を検索キーとして地図情報格納部１１２が記憶している情報を検索する。ここで、ランドマーク検索部１１３は、接続元位置情報が示す位置から予め定められた範囲内に位置するランドマークＡの情報（ランドマーク情報及びランドマーク位置情報）を抽出する。具体的には、ランドマーク検索部１１３は、ランドマーク位置情報の経度が、接続元位置情報の経度の前後Ｔ１分内にあり、ランドマーク位置情報の緯度が、接続元位置情報の緯度の前後Ｔ２分内にあるランドマークＡの情報を抽出する。なお、Ｔ１、Ｔ２は、予め定められた定数であるが、ランドマーク検索部１１３はランドマークＡが１つも抽出されない場合には、Ｔ１、Ｔ２の値を大きくしていってもよい。
【００２５】
ランドマーク検索部１１３は、抽出したランドマークＡの情報各々について、ランドマーク位置情報と接続位置情報の間の距離を算出する。例えば、ランドマーク検索部１１３は、現在地情報取得部１１１が入力された位置情報を示す経度緯度＜「E139°46’1”」,「N35°40’53”」＞と、ランドマークの経度緯度＜「E139°45’51”」,「N35°40’52”」＞の情報から、その間の距離「0.535km」を算出する。
ランドマーク検索部１１３は、抽出したランドマークＡの情報各々について、ランドマーク情報を抽出し、抽出したランドマーク情報と算出した距離を示す距離情報を対応付けた情報を生成する。ランドマーク検索部１１３は、抽出したランドマークＡの情報の全てについて情報を生成し、生成した情報のリスト（ランドマーク情報リストとも称する）を、接続設定情報検索部１１５に出力する。
【００２６】
接続設定情報リスト格納部１１４は、ランドマーク情報の一部又は全部と、接続設定情報とが対応付けられた接続設定情報リストを格納している（図３参照）。
【００２７】
接続設定情報検索部１１５は、ランドマーク検索部１１３から入力されたランドマーク情報リストの距離情報を参照し、距離情報が示す距離が最も距離が短いランドマークＡを選択する。
なお、接続設定情報検索部１１５は、ランドマーク情報リストに含まれるランドマーク情報を表示部１１７に表示させ、その中からユーザーが選択したランドマーク情報を操作部１１８から取得し、取得したランドマーク情報が示すランドマークＡを選択してもよい。
【００２８】
接続設定情報検索部１１５は、選択したランドマークＡを示すランドマーク情報の一部又は全部を検索キーとして、接続設定情報リスト格納部１１４に記憶された接続設定情報リストを検索する。例えば、接続設定情報検索部１１５は、店名と支店名を検索キーとしてもよいし、店名のみを検索キーとしてもよい。接続設定情報検索部１１５は、検索キーとしたランドマーク情報の一部又は全部に対応付けられた接続設定情報を抽出する。
接続設定情報検索部１１５は、抽出した接続設定情報を無線通信部１１６に出力する。
【００２９】
無線通信部１１６は、公衆通信網を介した無線通信を行う。無線通信部１１６は、接続設定情報検索部１１５から入力された接続設定情報に基づいて、情報通信機器Ｂと通信接続する。
また、無線通信部１１６は、情報発信局４と通信接続する。例えば、無線通信部１１６は、情報発信局４から、接続設定情報リストのデータを受信してもよい。この場合、無線通信部１１６は、当該リストのデータを接続設定情報リスト格納部１１４に書込む。なお、無線通信部１１６は、メモリーカード等のメディア媒体からの入力によって取得してもよいし、または当該情報処理装置１のユーザーの手入力によって取得してもよい。
【００３０】
表示部１１７は、例えば液晶ディスプレイ、有機EL（Electro-Luminescence）ディスプレイなどの画像表示デバイスで実現される。表示部１１７は、制御部Ｃの制御に基づいて、表示を行う。例えば、表示部１１７は、接続設定情報検索部１１５の指示に従い、画像を表示する。
【００３１】
操作部１１８は、タッチパネルやボタンなどの入力デバイスで実現される。表示部１１７は、ユーザーによる入力操作を検出し、検出した入力操作を示す情報を、制御部Ｃに出力する。
【００３２】
図３は、本実施形態に係る接続設定情報リストの一例を示す図である。図示するように、当該リストは、ランドマーク情報の一部又は全部を示すランドマーク、及び、接続設定情報の各項目の列を有している。接続設定情報には、SSID（Service Set Identifier）、パスワードの各項目が含まれている。当該リストは、ランドマーク毎に接続設定情報が格納される行と列からなる２次元の表形式のデータである。例えば、ランドマーク情報「Sカフェ」には、接続設定情報として、SSID「S_CAFE」とパスワード「AbCdEfG」が対応付けられている。
【００３３】
図３では、同一のランドマーク内又は当該ランドマーク付近に設置された複数の情報通信機器Ｂに通信接続するための接続設定情報は共通であり、同一の接続設定情報である。例えば、図１のSホテル２２ａ内に設置された情報通信機器２２１ａと２２２ａは、接続設定情報が同一である。換言すれば、情報処理装置１は、同じ接続設定情報で、情報通信機器２２１ａにも、２２２ａにも通信接続できる。また、同じ系列の店には、各支店に設置された複数の情報通信機器Ｂに通信接続するための接続設定情報は共通であり、同一の接続設定情報である。例えば、図１のSカフェ２１ａ、２１ｂ、２１ｃ内に設置された情報通信機器２１１ａと２１１ｂと２１１ｃは、接続設定情報が同一である。換言すれば、情報処理装置１は、同じ接続設定情報で、情報通信機器２１１ａにも、２１１ｂにも、２１１ｂにも、通信接続できる。
このように、通信システムでは、図３のようにランドマーク情報の一部に接続設定情報を対応付けた場合には、複数の情報通信機器Ｂで、接続設定情報を同一にすることができる。これにより、通信システムは、情報通信機器Ｂの増設や、接続設定情報の更新等のメンテナンスを容易にすることができる。
【００３４】
［情報処理装置の動作］
次に、この情報処理装置について説明する。図４は、本実施形態に係る情報処理装置の動作の一例を示すフローチャートである。
【００３５】
（ステップＳ１０１）制御部Ｃは、接続設定情報リストのデータが接続設定情報リスト格納部１１４に格納されているかを判定する。格納されていると判定された場合(Yes)、ステップＳ１０３へ進む。一方、格納されていないと判定された場合(No)、ステップＳ１０２へ進む。
【００３６】
（ステップＳ１０２）無線通信部１１６は情報発信局４に接続設定情報リストのデータの提供を要求する。無線通信部１１６は、当該データを取得し、接続設定情報リスト格納部に書き込む。その後、ステップＳ１０３に進む。
【００３７】
（ステップＳ１０３）現在地情報取得部１１１が、測位衛星３を介して、情報処理装置１の位置情報（接続元位置情報）を取得する。その後、ステップＳ１０４に進む。
【００３８】
（ステップＳ１０４）ランドマーク検索部１１３は、ステップＳ１０３で取得された接続元位置情報を検索キーとして、地図情報格納部１１２が記憶している情報を検索し、ランドマーク情報リストを抽出する。その後、ステップＳ１０５に進む。
【００３９】
（ステップＳ１０５）接続設定情報検索部１１５は、ステップＳ１０４で抽出されたランドマーク情報リストの中から、１つのランドマークＡの情報を選択する。その後、ステップ１０６に進む。
【００４０】
（ステップＳ１０６）接続設定情報検索部１１５は、ステップＳ１０５で選択されたランドマークＡの情報のランドマーク情報の一部又は全部を検索キーとして、接続設定情報リスト格納部１１４に記憶された接続設定情報リストを検索する。接続設定情報検索部１１５は、検索キーとしたランドマーク情報の一部又は全部に対応付けられた接続設定情報を抽出する。その後、ステップＳ１０７に進む。
【００４１】
（ステップＳ１０７）無線通信部１１６は、ステップＳ１０６で抽出された接続設定情報に基づいて情報通信機器Ｂに通信接続し、一連の処理を終了する。
【００４２】
以上説明したように、本実施形態では、ランドマーク検索部１１３又は操作部１１８（取得部）は、ランドマークＡを示すランドマーク情報を取得する。接続設定情報検索部１１５は、ランドマーク情報の一部又は全部と情報通信機器Ｂに通信接続するための接続設定情報とが対応付けられた接続設定情報リスト（第１情報）を接続設定情報リスト格納部１１４から読み出し、ランドマーク検索部１１３又は操作部１１８が取得したランドマーク情報に対応付けられた接続設定情報を抽出する。
【００４３】
これにより、通信システムは、位置情報毎ではなく、ランドマーク毎に対応付けられた接続設定情報リストを用いることで、従来技術よりも接続設定情報リストのファイルサイズを小さくすることができる。つまり、通信システムは、通信接続のためのリストのファイルサイズを大きくすることなく通信接続をすることができる。
【００４４】
また、本実施形態では、現在地情報取得部１１１は、ランドマーク位置情報とランドマーク情報が対応付けられた情報（第２情報）を地図情報格納部１１２（記憶部）から読み出し、接続元位置から予め定めた範囲内の位置を示すランドマーク位置情報に対応付けられたランドマーク情報を取得する。これにより情報処理装置１は、例えば、接続元位置を測位することで、近接するランドマークを示すランドマーク情報を取得することができる。
【００４５】
また、本実施形態では、現在地情報取得部１１１は、接続元位置との距離が予め定められた距離より短い位置にあるランドマークを示すランドマーク情報の一部又は全部に対応付けられた接続設定情報を抽出してもよい。
【００４６】
（第２の実施形態）
以下、図面を参照して、本発明の第２の実施形態について説明する。本実施形態では、接続設定情報リストには、ランドマーク情報の一部又は全部毎に予め定められた距離であって、ランドマーク情報の一部又は全部とランドマーク情報が示すランドマークＡ内の情報通信機器Ｂが通信可能な通信可能距離を示す情報（通信可能距離情報とも称する）と、が対応付けられている。通信システムは、選択したランドマークＡの位置と接続元位置との距離が通信可能距離より短い場合に、その通信可能距離情報に対応する接続設定情報を抽出する。なお、本実施形態に係る通信システム及び情報処理装置１は、第１の実施形態のもの（図１及び図２）と同様であるため、説明を省略する。
【００４７】
図５は、本発明の第２の実施形態に係る接続設定情報リストの一例を示す図である。図示するように、当該リストは、ランドマーク情報の一部又は全部を示すランドマーク、接続設定情報、及び、通信可能距離の各項目の列を有している。ここで、通信可能距離の項目には、ランドマーク内または当該ランドマーク付近に設置された情報通信機器と情報処理装置１とが通信接続できる距離の上限を示す通信可能距離情報が格納されている。例えば、ランドマーク情報「Sカフェ」には、接続設定情報として、SSID「S_CAFE」とパスワード「AbCdEfG」と通信可能距離「10ｍ」が対応付けられ、「Sホテル」には、接続設定情報として、SSID「S_HOTEL」とパスワード「aBcDeFg」と通信可能距離「50ｍ」が対応付けられている。
【００４８】
接続設定情報検索部１１５は、ランドマーク検索部１１３から入力されたランドマーク情報リストの距離情報を参照し、この距離情報が示す距離が通信可能距離よりも短いランドマークＡを抽出する。接続設定情報検索部１１５は、抽出したランドマークＡのうち、距離情報が示す距離が最も短いランドマークＡを選択する。例えば、ランドマーク情報「Sカフェ」に距離情報「20m」が対応付けられ、ランドマーク情報「Sホテル」に距離情報「30m」が対応付けられたランドマーク情報リストが、ランドマーク検索部１１３から接続設定情報検索部１１５に入力され、接続設定情報リスト格納部１１４が図５の接続設定情報リストを記憶する場合について説明をする。この場合、接続設定情報検索部１１５は、ランドマーク情報「Sカフェ」に対応付けられた距離情報が示す20mがランドマーク情報「Sカフェ」に対応付けられた通信可能距離が示す10mよりも長いため、「Sカフェ」を選択しない。一方、接続設定情報検索部１１５は、ランドマーク情報「Sホテル」に対応付けられた距離情報が示す30mがランドマーク情報「Sホテル」に対応付けられた通信可能距離が示す50mよりも短いため、「Sホテル」を選択する。つまり、接続設定情報検索部１１５は、情報処理装置１が「Sホテル」よりも「Sカフェ」に近いにも関わらず、「Sホテル」を選択して「Sホテル」内又は「Sホテル」付近の情報通信機器Ｂに通信接続することとなる。
【００４９】
［情報処理装置の動作］
第１の実施形態と同様に、図４のフローチャートを用いて、第２の実施形態に係る情報処理装置１の動作の一例を説明する。但し、第１の実施形態と異なる点は、フローチャートのステップＳ１０５のみであるため、その他のステップについては説明を省略する。
【００５０】
（ステップＳ１０５）接続設定情報検索部１１５は、ステップＳ１０４で抽出されたランドマーク情報リストの距離情報を参照し、距離情報が通信可能距離より短いランドマーク情報の中から、１つのランドマークＡの情報を選択する。その後、ステップＳ１０６に進む。
【００５１】
以上、説明したように、第２の実施形態では、ランドマーク情報の一部又は全部と情報通信機器Ｂに通信接続するための接続設定情報リスト（第１情報）は、ランドマーク情報の一部又は全部と情報通信機器Ｂに通信接続するための接続設定情報と、ランドマーク情報の一部又は全部毎に予め定められた距離を示す通信可能距離（距離情報）と、が対応付けられ、接続設定情報検索部（制御部）は、情報処理装置１との距離より短い距離を示す通信可能距離（距離情報）に対応する接続設定情報を抽出する。
【００５２】
本実施形態により、通信可能距離の範囲内ではないため通信接続することが不可能なランドマークを予め対象外にすることで、無駄な検索処理や通信接続処理を省くことができる。
【００５３】
（第３の実施形態）
以下、図面を参照して、本発明の第３の実施形態について説明する。本実施形態では、接続設定情報リストには、ランドマーク情報の一部又は全部とランドマーク情報が示すランドマークＡが位置する地域の名称を示す情報（地域情報とも称する）と、が対応付けられている。通信システムは、選択したランドマークの地域が、予め定めた通信接続する対象とする地域（接続対象地域とも称する）に含まれる場合に、その地域情報に対応する接続設定情報を抽出する。なお、本実施形態に係る通信システム及び情報処理装置１は、第１の実施形態のもの（図１及び図２）と同様であるため、説明を省略する。
【００５４】
図６は、本発明の第３の実施形態に係る接続設定情報リストの一例を示す図である。図示するように、当該リストは、ランドマーク情報の一部又は全部を示すランドマーク、接続設定情報、及び、地域の各項目の列を有している。地域の項目には、地域情報が格納されている。例えば、ランドマーク情報「Sカフェ」には地域情報「東京」が、ランドマーク情報「Sホテル」には地域情報「日本」が、ランドマーク情報「Ｓビル」には地域情報「京都」が対応付けられている。なお、地域情報は、地域の名称を示す情報に限定されるものではなく、郵便番号や市外局番、通信事業者が独自に定めた通信エリアの区分名称などでもよい。
【００５５】
接続設定情報検索部１１５は、この地域情報が示す地域が接続対象地域に含まれるランドマークＡを抽出する。接続設定情報検索部１１５は、抽出したランドマークＡのうち、距離情報が示す距離が最も短いランドマークＡを選択する。例えば、接続対象地域が＜「関東」，「東京」，「千代田区」＞と定められており、接続設定情報リスト格納部１１４が図６の接続情報設定リストを記憶する場合について説明をする。この場合、接続設定情報検索部１１５は、ランドマーク情報「Sカフェ」に対応付けられた地域「東京」が、選択対象地域＜「関東」，「東京」，「千代田区」＞に含まれているため、「Sカフェ」を選択対象とする。同様に、ランドマーク情報「Sホテル」に対応付けられた地域「日本」、及びランドマーク情報「Sビル」に対応付けられた地域「京都」は、選択対象地域＜「関東」，「東京」，「千代田区」＞に含まれていないため、「Sホテル」及び「Sビル」は選択対象としない。
【００５６】
［情報処理装置の動作］
第１の実施形態と同様に、図４のフローチャートを用いて、第３の実施形態に係る情報処理装置１の動作の一例を説明する。但し、第１の実施形態と異なる点は、フローチャートのステップＳ１０５のみであるため、その他のステップについては説明を省略する。
【００５７】
（ステップＳ１０５）接続設定情報検索部１１５は、ステップＳ１０４で抽出されたランドマーク情報リストを参照し、接続対象地域に含まれるランドマーク情報の中から、１つのランドマークＡの情報を選択する。その後、ステップＳ１０６に進む。
【００５８】
以上、説明したように、第３の実施形態では、ランドマーク情報の一部又は全部と情報通信機器Ｂに通信接続するための接続設定情報リスト（第１情報）は、ランドマーク情報の一部又は全部と情報通信機器Ｂに通信接続するための接続設定情報と、ランドマーク情報の一部又は全部毎に予め定められた地域を示す地域情報と、が対応付けられ、接続設定情報検索部（制御部）は、ランドマークが位置する地域を示す地域情報に対応する接続設定情報を抽出する。
【００５９】
本実施形態により、通信接続する対象の地域以外に位置するランドマークは予め選択対象外にすることで、無駄な検索処理や通信接続処理を省くことができる。本実施形態は、例えば、特定の県内や、特定の都市に所在するランドマークだけに通信接続先を予め限定したい場合などに有効である。
【００６０】
（第４の実施形態）
以下、図面を参照して、本発明の第４の実施形態について説明する。本実施形態では、接続設定情報リストには、ランドマーク情報の一部又は全部とランドマーク情報が示すランドマークＡの種別の名称を示す情報（種別情報とも称する）と、が対応付けられている。種別情報はランドマーク情報に含まれる情報であり、ランドマークが含まれる種別の名称が階層的に対応付けられている。例えば、ランドマーク情報の階層３が「Sホテル」である場合に、階層２には「ホテル」、階層１には「宿泊施設」が対応付けられている。つまり、接続設定情報は、「Sホテル」と、「Sホテル」の上位カテゴリである「ホテル」と、「ホテル」の上位カテゴリである「宿泊施設」と、を対応付けて記憶している。通信システムは、選択したランドマークの種別が、予め定めた通信接続する対象とする種別（接続対象種別とも称する）に含まれる場合に、その種別情報に対応する接続設定情報を抽出する。なお、本実施形態に係る通信システム及び情報処理装置１は、第１の実施形態のもの（図１及び図２）と同様であるため、説明を省略する。
【００６１】
図７は、本発明の第４の実施形態に係る接続設定情報リストの一例を示す図である。
図示するように、当該リストは、ランドマーク情報の一部又は全部を示すランドマーク及びランドマークの種別情報、接続設定情報の各項目の列を有している。ランドマークの階層１及び階層２の項目には、ランドマークの種別情報が格納されている。例えば、ランドマーク情報「Sカフェ」には、つまりランドマークの階層３が「Sカフェ」であるランドマーク情報には、階層２「ホテル」及び階層１「宿泊施設」が対応付けられている。
【００６２】
［情報処理装置の動作］
第１の実施形態と同様に、図４のフローチャートを用いて、第３の実施形態に係る情報処理装置１の動作の一例を説明する。但し、第１の実施形態と異なる点は、フローチャートのステップＳ１０５のみであるため、その他のステップについては説明を省略する。
【００６３】
（ステップＳ１０５）接続設定情報検索部１１５は、ステップＳ１０４で抽出されたランドマーク情報リストを参照し、接続対象種別に含まれるランドマーク情報の中から、１つのランドマークＡの情報を選択する。その後、ステップＳ１０６に進む。
【００６４】
以上、説明したように、第４の実施形態では、ランドマーク情報の一部又は全部と情報通信機器Ｂに通信接続するための接続設定情報リスト（第１情報）は、ランドマーク情報の一部又は全部と情報通信機器Ｂに通信接続するための接続設定情報と、ランドマーク情報の一部又は全部毎にランドマークの種別を示す種別情報と、が対応付けられ、接続設定情報検索部（制御部）は、種別情報を取得し、取得した種別情報に対応する接続設定情報を抽出する。
【００６５】
本実施形態により、通信接続する対象の種別以外のランドマークは予め選択対象外にすることで、無駄な検索処理や通信接続処理を省くことができる。本実施形態は、例えば、特定の種別に属するランドマークだけに通信接続先を予め限定したい場合などに有効である。
【００６６】
また、本実施形態により、取得する地図情報に格納されているランドマークの名称が抽象化されている、つまり種別の名称で格納されているような場合でも、通信接続が可能となる場合がある。例えば、地図情報格納部から抽出したランドマーク情報には、「Sホテル」のようなランドマークの名称ではなく、「Sホテル」が含まれる種別を示す「ホテル」と格納されているような場合でも、図７のように、接続設定情報のランドマーク情報の「階層２」に「ホテル」と格納されていることで、「Sホテル」である可能性があることを推測できる。したがって、通信接続が可能かを試してみることができる。
【００６７】
なお、上記各実施形態において、情報処理装置１が制御部Ｃと記憶部Ｍを備える場合について説明をした。しかし本発明はこれに限らず、情報処理装置１（対象装置）と通信を行う外部サーバ（請求項の情報処理装置）が制御部Ｃと記憶部Ｍの機能を備えてもよい。この場合、例えば、情報処理装置１は、取得した接続元位置情報を外部サーバへ送信する。外部サーバは、受信した接続元位置情報に基づいて、情報処理装置１と同位置又は近接するランドマークＡを抽出する。外部サーバは、抽出したランドマークＡの中から、予め定められたルールに従ってランドマークＡを１つ選択する。外部サーバは、選択したランドマークＡを示すランドマーク情報の一部又は全部に対応する接続設定情報を抽出して情報処理装置１へ送信する。情報処理装置１は、受信した接続設定情報に基づいて、情報通信機器Ｂに通信接続する。
【００６８】
以上、図面を参照して本発明の一実施形態について説明してきたが、具体的な構成は上述のものに限られることはなく、本発明の要旨を逸脱しない範囲内において様々な設計変更等をすることが可能である。
【符号の説明】
【００６９】
１・・・情報処理装置  Ｉ・・・入出力部  Ｃ・・・制御部  Ｍ・・・記憶部、１１１・・・現在地情報取得部  １１２・・・地図情報格納部  １１３・・・ランドマーク検索部  １１４・・・接続設定情報リスト格納部  １１５・・・接続設定情報検索部  １１６・・・無線通信部  １１７・・・表示部  １１８・・・操作部  ２１ａ, ２１ｂ, ２１ｃ, ２２ａ, ２２ｂ, ２３・・・ランドマーク  ２１１ａ, ２１１ｂ, ２１１ｃ, ２２１ａ, ２２２ａ, ２２１ｂ, ２２２ｂ、２３１, ２３２, ２３３・・・情報通信機器  ３・・・測位衛星  ４・・・情報発信局
【図１】
2016082246.tif 000003
【図２】
2016082246.tif 000004
【図３】
2016082246.tif 000005
【図４】
2016082246.tif 000006
【図５】
2016082246.tif 000007
【図６】
2016082246.tif 000008
【図７】
2016082246.tif 000009